(57)【要約】【課題】  取り扱う宛先数が非常に多い場合に、宛先を簡単に選択することが可能な通信装置、通信システム、通信方法及びプログラムを提供する。【解決手段】  情報処理装置と通信を行う通信装置であって、情報処理装置にて予め作成・格納された、宛先情報を含むＣＳＶファイルを受信し、ＣＳＶファイルを使用して所定の宛先に対して通信を行う。【選択図】  図１
2007049310.tif 000002
【特許請求の範囲】
【請求項１】
情報処理装置と通信を行う通信装置であって、
前記情報処理装置にて予め作成された、宛先情報を含む宛先ファイルを受信し、該宛先ファイルを使用して通信を行うことを特徴とする通信装置。
【請求項２】
前記情報処理装置から受信した宛先ファイルの一覧を表示することを特徴とする請求項１記載の通信装置。
【請求項３】
前記情報処理装置から受信した宛先ファイルの中から所定の宛先ファイルを選択するための見出しを表示することを特徴とする請求項１又は２記載の通信装置。
【請求項４】
前記宛先ファイルが選択された場合、該宛先ファイルの中から、入力されたキーワードに基づいて所定の宛先を抽出し、該抽出された宛先に対して通信を行うことを特徴とする請求項３記載の通信装置。
【請求項５】
前記情報処理装置から受信した宛先ファイルを使用して、ワンタッチダイヤル、短縮ダイヤル、グル−プダイヤルを宛先として登録し、該登録した宛先に対して通信を行うことを特徴とする請求項１から４のいずれか１項に記載の通信装置。
【請求項６】
前記宛先ファイルは、ＣＳＶフォーマットで記述されることを特徴とする請求項１から５のいずれか１項に記載の通信装置。
【請求項７】
情報処理装置と、通信装置とが通信を行う通信システムであって、
前記情報処理装置は、宛先情報を含む宛先ファイルを格納し、
前記通信装置は、前記情報処理装置から前記宛先ファイルを受信し、該宛先ファイルを使用して通信を行うことを特徴とする通信システム。
【請求項８】
前記通信装置は、前記情報処理装置から受信した宛先ファイルの一覧を表示することを特徴とする請求項７記載の通信システム。
【請求項９】
前記通信装置は、前記情報処理装置から受信した宛先ファイルの中から所定の宛先ファイルを選択するための見出しを表示することを特徴とする請求項７又は８記載の通信システム。
【請求項１０】
前記通信装置は、前記宛先ファイルが選択された場合、該宛先ファイルの中から、入力されたキーワードに基づいて所定の宛先を抽出し、該抽出された宛先に対して通信を行うことを特徴とする請求項９記載の通信システム。
【請求項１１】
前記通信装置は、前記情報処理装置から受信した宛先ファイルを使用して、ワンタッチダイヤル、短縮ダイヤル、グル−プダイヤルを宛先として登録し、該登録した宛先に対して通信を行うことを特徴とする請求項７から１０のいずれか１項に記載の通信システム。
【請求項１２】
前記宛先ファイルは、ＣＳＶフォーマットで記述されることを特徴とする請求項７から１１のいずれか１項に記載の通信システム。
【請求項１３】
情報処理装置と、通信装置とが通信を行う通信方法であって、
前記情報処理装置は、宛先情報を含む宛先ファイルを格納し、
前記通信装置は、前記情報処理装置から前記宛先ファイルを受信し、該宛先ファイルを使用して通信を行うことを特徴とする通信方法。
【請求項１４】
前記通信装置は、前記情報処理装置から受信した宛先ファイルの一覧を表示することを特徴とする請求項１３記載の通信方法。
【請求項１５】
前記通信装置は、前記情報処理装置から受信した宛先ファイルの中から所定の宛先ファイルを選択するための見出しを表示することを特徴とする請求項１３又は１４記載の通信方法。
【請求項１６】
前記通信装置は、前記宛先ファイルが選択された場合、該宛先ファイルの中から、入力されたキーワードに基づいて所定の宛先を抽出し、該抽出された宛先に対して通信を行うことを特徴とする請求項１５記載の通信方法。
【請求項１７】
前記通信装置は、前記情報処理装置から受信した宛先ファイルを使用して、ワンタッチダイヤル、短縮ダイヤル、グル−プダイヤルを宛先として登録し、該登録した宛先に対して通信を行うことを特徴とする請求項１３から１６のいずれか１項に記載の通信方法。
【請求項１８】
前記宛先ファイルは、ＣＳＶフォーマットで記述されることを特徴とする請求項１３から１７のいずれか１項に記載の通信方法。
【請求項１９】
情報処理装置と、通信装置とが通信を行う通信システムのプログラムであって、
前記情報処理装置に、
宛先情報を含む宛先ファイルを格納する処理と、
前記通信装置に、
前記情報処理装置から前記宛先ファイルを受信する処理と、
該宛先ファイルを使用して通信を行う処理と、
を実行させるプログラム。
【請求項２０】
前記通信装置に、
前記情報処理装置から受信した宛先ファイルの一覧を表示する処理を実行させる請求項１９記載のプログラム。
【請求項２１】
前記通信装置に、
前記情報処理装置から受信した宛先ファイルの中から所定の宛先ファイルを選択するための見出しを表示する処理を実行させる請求項１９又は２０記載のプログラム。
【請求項２２】
前記通信装置に、
前記宛先ファイルが選択された場合、該宛先ファイルの中から、入力されたキーワードに基づいて所定の宛先を抽出する処理と、
該抽出された宛先に対して通信を行う処理と、
を実行させる請求項２１記載のプログラム。
【請求項２３】
前記通信装置に、
前記情報処理装置から受信した宛先ファイルを使用して、ワンタッチダイヤル、短縮ダイヤル、グル−プダイヤルを宛先として登録する処理と、
該登録した宛先に対して通信を行う処理と、
を実行させる請求項１９から２２のいずれか１項に記載のプログラム。
【請求項２４】
前記宛先ファイルは、ＣＳＶフォーマットで記述されることを特徴とする請求項１９から２３のいずれか１項に記載のプログラム。
【発明の詳細な説明】
【技術分野】
【０００１】
本発明は、通信対象となる宛先を効率よく選択できる通信装置、通信システム、通信方法及びプログラムに関する。
【背景技術】
【０００２】
従来のファクシミリ装置において、例えば、１０万件の宛先数の中から選択してファクシミリ送信を行う場合、１度に１０万件の宛先を登録できるファクシミリ装置は無かった。よって、従来は、大量の宛先に送信したい場合、登録可能な数の宛先をＦＡＸ装置本体に登録する操作を繰り返す必要があり、ユーザにとっては操作が非常に面倒であった。
宛先登録に係る従来技術例として、宛先のダイヤル番号及びそのダイヤル番号に対応するキーコードをグループ毎に分類して記憶することにより、宛先登録の操作を簡略化することができる「ファクシミリ装置」がある（例えば、特許文献１参照）。
また、ファクシミリ装置の短縮ダイヤルをパーソナルコンピュータに保存し、短縮ダイヤルの設定内容の変更等を繰り返し行うことが可能な「通信装置用キー登録装置」がある（例えば、特許文献２参照）。
【特許文献１】特許第２５４５０８８号公報
【特許文献２】特開平９−１２８１２８号公報
【発明の開示】
【発明が解決しようとする課題】
【０００３】
しかしながら、特許文献１記載の発明は、従来の一般的なファクシミリ装置と同様に１度に大量の宛先を登録できるものではない。
また、特許文献２記載の発明は、パーソナルコンピュータのリストデータをファクシミリ装置にダウンロードする場合、ファクシミリ装置にてワンタッチや短縮ダイヤルに置き換える処理を宛先毎に必要とするので、１度に指定する宛先が大量である場合に対応できない。
【０００４】
本発明は、上記事情に鑑みてなされたものであり、取り扱う宛先数が非常に多い場合に、宛先を簡単に選択することが可能な通信装置、通信システム、通信方法及びプログラムを提供することを目的とする。
【課題を解決するための手段】
【０００５】
かかる目的を達成するために、請求項１記載の発明は、情報処理装置と通信を行う通信装置であって、情報処理装置にて予め作成・格納された、宛先情報を含む宛先ファイルを受信し、宛先ファイルを使用して通信を行うことを特徴とする。
【０００６】
請求項２記載の発明は、請求項１記載の発明において、情報処理装置から受信した宛先ファイルの一覧を表示することを特徴とする。
【０００７】
請求項３記載の発明は、請求項１又は２記載の発明において、情報処理装置から受信した宛先ファイルの中から所定の宛先ファイルを選択するための見出しを表示することを特徴とする。
【０００８】
請求項４記載の発明は、請求項３記載の発明において、宛先ファイルが選択された場合、宛先ファイルの中から、入力されたキーワードに基づいて所定の宛先を抽出し、抽出された宛先に対して通信を行うことを特徴とする。
【０００９】
請求項５記載の発明は、請求項１から４のいずれか１項に記載の発明において、情報処理装置から受信した宛先ファイルを使用して、ワンタッチダイヤル、短縮ダイヤル、グル−プダイヤルを宛先として登録し、登録した宛先に対して通信を行うことを特徴とする。
【００１０】
請求項６記載の発明は、請求項１から５のいずれか１項に記載の発明において、宛先ファイルは、ＣＳＶフォーマットで記述されることを特徴とする。
【００１１】
請求項７記載の発明は、情報処理装置と、通信装置とが通信を行う通信システムであって、情報処理装置は、宛先情報を含む宛先ファイルを格納し、通信装置は、情報処理装置から宛先ファイルを受信し、宛先ファイルを使用して通信を行うことを特徴とする。
【００１２】
請求項８記載の発明は、請求項７記載の発明において、通信装置は、情報処理装置から受信した宛先ファイルの一覧を表示することを特徴とする。
【００１３】
請求項９記載の発明は、請求項７又は８記載の発明において、通信装置は、情報処理装置から受信した宛先ファイルの中から所定の宛先ファイルを選択するための見出しを表示することを特徴とする。
【００１４】
請求項１０記載の発明は、請求項９記載の発明において、通信装置は、宛先ファイルが選択された場合、宛先ファイルの中から、入力されたキーワードに基づいて所定の宛先を抽出し、抽出された宛先に対して通信を行うことを特徴とする。
【００１５】
請求項１１記載の発明は、請求項７から１０のいずれか１項に記載の発明において、通信装置は、情報処理装置から受信した宛先ファイルを使用して、ワンタッチダイヤル、短縮ダイヤル、グル−プダイヤルを宛先として登録し、登録した宛先に対して通信を行うことを特徴とする。
【００１６】
請求項１２記載の発明は、請求項７から１１のいずれか１項に記載の発明において、宛先ファイルは、ＣＳＶフォーマットで記述されることを特徴とする。
【００１７】
請求項１３記載の発明は、情報処理装置と、通信装置とが通信を行う通信方法であって、情報処理装置は、宛先情報を含む宛先ファイルを格納し、通信装置は、情報処理装置から宛先ファイルを受信し、宛先ファイルを使用して通信を行うことを特徴とする。
【００１８】
請求項１４記載の発明は、請求項１３記載の発明において、通信装置は、情報処理装置から受信した宛先ファイルの一覧を表示することを特徴とする。
【００１９】
請求項１５記載の発明は、請求項１３又は１４記載の発明において、通信装置は、情報処理装置から受信した宛先ファイルの中から所定の宛先ファイルを選択するための見出しを表示することを特徴とする。
【００２０】
請求項１６記載の発明は、請求項１５記載の発明において、通信装置は、宛先ファイルが選択された場合、宛先ファイルの中から、入力されたキーワードに基づいて所定の宛先を抽出し、抽出された宛先に対して通信を行うことを特徴とする。
【００２１】
請求項１７記載の発明は、請求項１３から１６のいずれか１項に記載の発明において、通信装置は、情報処理装置から受信した宛先ファイルを使用して、ワンタッチダイヤル、短縮ダイヤル、グル−プダイヤルを宛先として登録し、登録した宛先に対して通信を行うことを特徴とする。
【００２２】
請求項１８記載の発明は、請求項１３から１７のいずれか１項に記載の発明において、宛先ファイルは、ＣＳＶフォーマットで記述されることを特徴とする。
【００２３】
請求項１９記載の発明は、情報処理装置と、通信装置とが通信を行う通信システムのプログラムであって、情報処理装置に、宛先情報を含む宛先ファイルを格納する処理と、通信装置に、情報処理装置から宛先ファイルを受信する処理と、宛先ファイルを使用して通信を行う処理と、を実行させる。
【００２４】
請求項２０記載の発明は、請求項１９記載の発明において、通信装置に、情報処理装置から受信した宛先ファイルの一覧を表示する処理を実行させる。
【００２５】
請求項２１記載の発明は、請求項１９又は２０記載の発明において、通信装置に、情報処理装置から受信した宛先ファイルの中から所定の宛先ファイルを選択するための見出しを表示する処理を実行させる。
【００２６】
請求項２２記載の発明は、請求項２１記載の発明において、通信装置に、宛先ファイルが選択された場合、宛先ファイルの中から、入力されたキーワードに基づいて所定の宛先を抽出する処理と、抽出された宛先に対して通信を行う処理と、を実行させる。
【００２７】
請求項２３記載の発明は、請求項１９から２２のいずれか１項に記載の発明において、通信装置に、情報処理装置から受信した宛先ファイルを使用して、ワンタッチダイヤル、短縮ダイヤル、グル−プダイヤルを宛先として登録する処理と、登録した宛先に対して通信を行う処理と、を実行させる。
【００２８】
請求項２４記載の発明は、請求項１９から２３のいずれか１項に記載の発明において、宛先ファイルは、ＣＳＶフォーマットで記述されることを特徴とする。
【発明の効果】
【００２９】
本発明によれば、取り扱う宛先数が非常に多い場合の宛先選択を簡単にすることが可能となる。
【発明を実施するための最良の形態】
【００３０】
以下、本発明を実施するための最良の形態について添付図面を参照して詳細に説明する。
【００３１】
本発明の通信装置の一例であるファクシミリ装置について説明する。図１は、ファクシミリ装置の構成を示すブロック図である。
図１において、制御部３は、装置全体を制御するユニットであり、ＣＰＵにより制御を行う。表示操作部４は、オペレータ（ユーザ）が宛先入力等の各操作を行うためのインターフェース機能を有するとともに、各種表示を行うための表示機能を有するユニット（例：オペレーションパネル等）である。スキャナ部５は、原稿を光学的に読み取り、電気信号に変換するユニットである。プロッタ部６は、電気信号を物理的手段により変換し、記録紙へ記録するユニットである。メモリ部７は制御部３のプログラムを格納するとともに、ワーク用メモリや画像データ蓄積用メモリとして機能し、また、それらを制御するユニットである。画像処理部８は主として、画像データの圧縮、伸長を行うユニットである。通信制御部９は、Ｇ３／Ｇ４回線１１へのアクセスと通信プロトコル（Ｇ３／Ｇ４プロトコル）を実行するユニットである。ＬＡＮ制御部１０は、ＬＡＮ回線１２へのアクセスとプロトコルを実行するユニットである。本ファクシミリ装置は、以上のような構成となっている。
【００３２】
図２に本発明の通信システムの構成例を示す。
図２に示すように、本通信システムは、図１に示すファクシミリ装置１と、情報処理装置の一例であるＰＣ（パーソナルコンピュータ）２とが、ＬＡＮ回線１２を介して接続され、相互にデータ通信（以下に説明するＣＳＶファイルのデータ等）を行う。ＰＣ２には、Windows（登録商標）２０００やWindows（登録商標）ＸＰ等のＯＳがインストールされているものとする。
【００３３】
以下、上記ファクシミリ装置、上記通信システム、通信方法及びプログラムの実施例について詳細に説明する。
【実施例１】
【００３４】
まず、ＰＣ２において、ＦＡＸで読み込める形式（フォ−マット）であり、宛先情報が登録されたＣＳＶ（Comma Separated Value）ファイルを予め作成する。図３に、ＣＳＶファイル（宛先ファイル）のフォ−マット例を示す。
［ワンタッチ番号］
００１〜１９９までの３桁を使用し、全て半角文字とする。上の桁が０の場合も省略不可とする。
［短縮番号］
０００１〜１９９９までの４桁を使用し、全て半角文字とする。上の桁が０の場合も省略不可とする。
［ファクス番号］
最大６４桁で、全て半角文字とする。「０」〜「９」,「＃」,「＊」,「−」を入力可能とし、「−」はポーズを示す。
［相手先名称］
半角で最大２０文字、全角で最大１０文字とする。入力可能な漢字はＪＩＳ第１，２水準漢字とする。
［宛名差込］
宛名差し込み機能のＯＮ／ＯＦＦを設定する。
［グル−プ番号］
指定のワンタッチ番号／短縮番号が属するグル−プ番号を表す。例えば、[0]はグル−プに未所属を表し、[1/2/3/4/5]はグル−プ１、２、３、４、５に所属を表す。
そして、上記記述部分の全てについてそれぞれ[]で囲む。[]間は、「，」で区切る。＃はコメント文とし、最後に「END」を付ける。
【００３５】
以上のように、ＣＳＶファイル（宛先ファイル）を作成した後、ＣＳＶファイルを所定のＰＣフォルダに格納する。例えば、図４に示すように、ＰＣ側フォルダとして「宛先指定用ＣＳＶファイルフォルダ」に格納される。このフォルダを開くと、図４に示すように複数のＣＳＶファイルが一覧として表示される。
【００３６】
図５に、ＣＳＶファイルによるＦＡＸ宛先指定時のＣＳＶファイル選択画面とその遷移を示す。図５は、ファクシミリ装置１の表示操作部４の画面例である。また、図６に、実施例１の処理フロ−を示す。
まず、ファクシミリ装置において、ユーザは、クイックキーに「ＣＳＶファイル指定」キーを予め登録しておく。図５（ａ）に示す表示画面において、ユーザが「ＣＳＶファイル指定」キーを押下すると（図６，ステップＳ１／ＹＥＳ）、図５（ｂ）に示す画面が表示される。ここで、ユーザは、ＰＣのＩＰアドレスとフォルダ名を指定する入力操作を行う。ユーザによる入力が行われ、該当ファイルがＰＣ２に存在する場合は、図５（ｃ）に示すＣＳＶファイルの一覧を示す画面（図４参照）が表示される（図６，ステップＳ２）。ここで、ユーザは、希望のファイルを選択し、決定する入力操作を行う。ユーザによる入力が行われると、ＣＳＶファイルの中に含まれる個々の宛先（図３参照）が、送信用宛先として指定される（図６，ステップＳ３）。その後、ユーザは、原稿のセット、各種モードの設定、スタートキーの操作を行う。そして、ＦＡＸ送信が開始される（図６，ステップＳ４）。なお、ステップＳ１において、ユーザが「ＣＳＶファイル指定」キーを押下しない場合、つまり、本実施例の宛先指定方法を利用しない場合は、通常の方法による宛先選択を行う（図６，ステップＳ５）。
【００３７】
以上のように実施例１では、ＦＡＸで読み込める形式（フォ−マット）で、宛先情報が登録されたＣＳＶファイルを作成し、これを所定のＰＣフォルダに格納し、ＦＡＸによる送信操作時、宛先選択の１つの手段として、ＦＡＸに登録されているワンタッチダイヤル、短縮ダイヤルのほかに、作成したＰＣフォルダ上のＣＳＶファイルを宛先として選択できるようにする。つまり、ＰＣ上のＣＳＶファイルを宛先ファイルとしてそのまま使用することにより（本実施例は、上記特許文献２のように、ＰＣ上のデータを変換する必要がない。）、取り扱う宛先数が非常に多い場合の宛先選択を簡単に行うことができる。なお、本実施例の前提として、取り扱う宛先数が非常に多く（例：１０万件等）、グル−プ化して使う（例：１００グル−プ、1グル−プ当たり１，０００宛先）ものとする。
【実施例２】
【００３８】
実施例１において、例えば対象宛先数が１０万件あって、グル−プ化されたＣＳＶファイルが１００種類あった場合、該当のファイルを検索するのに時間がかかる。そこで、本実施例では、短時間で検索できるよう、図７に示すように、表示画面においてファイル一覧表示用見出しを付けることにより所定のファイル名をユーザが簡単に選択できるようにする。
【００３９】
例えば、図７において、例えば、見出しの「全部」の部分をユーザが押下した場合、全てのＣＳＶファイルが表示される。また、例えば、見出しの「あ」の部分を押下した場合、「あ」行で始まるファイル名を持つＣＳＶファイルが表示される。
【００４０】
このように、本実施例では、ユーザが表示画面上の見出しを選択・操作することで、その見出し行と一致したファイル名を持つＣＳＶファイルが表示される。
【００４１】
以上、本実施例によれば、取り扱う宛先数が非常に多い場合の宛先選択を簡単にするという実施例１の効果に加え、ＣＳＶファイルの選択はばを狭めることで、より選択効率を上げることができる。
【実施例３】
【００４２】
実施例３では、上記実施例１及び２のように、選択したＣＳＶファイルに登録されている全てのワンタッチ番号、短縮番号を宛先として指定するのではなく、ＣＳＶファイルに登録されている番号の中から、一部を抽出して、宛先として指定する。
【００４３】
図８に、ＣＳＶファイルから宛先抽出する画面と遷移を示す。
まず、実施例１と同様に、図８（ａ）に示す「ＣＳＶファイル指定」キーがユーザにより押下されると、図８（ｂ）に示す画面が表示される。ユーザによりＰＣのＩＰアドレスとフォルダ名の入力が行われると、図８（ｃ）に示すＣＳＶファイルの一覧を示す画面が表示される。ユーザにより、希望のＣＳＶファイルが選択され、「キーワード抽出」キーが押下されると、図８（ｄ）に示す画面が表示される。この画面において、ユーザは、抽出したい選択項目の□欄にチェック印を付ける。例えば、選択項目として、ファックス番号、相手先名称、グループ番号で抽出する場合は、図８（ｄ）に示すように、希望の抽出キーワードである「０３」、「営業」、「グループ１／２／３」をそれぞれ入力する。入力後、画面上の「決定」キーを押下すると、ＣＳＶファイルの中から、ファックス番号に「０３」、相手先名称に「営業」が含まれ、かつ、グループ１，２，３に属するワンタッチ番号、短縮番号が選択される。そして、選択されたワンタッチ番号、短縮番号の宛先が送信用宛先として指定される。なお、本実施例では３つのキーワードでＣＳＶファイルの抽出を行ったが、キーワードは、少なくとも１以上指定されればよい。
【００４４】
このように本実施例では、所定のＣＳＶファイルを選択した場合、ＣＳＶに登録されている全ての宛先を指定するのではなく、キ−ワ−ド（ファクス番号、相手先名称、所属グル−プ番号等）で抽出し、抽出された番号にのみ送信する。
また、ＣＳＶファイルを複数選択し、個々のＣＳＶファイルから抽出された宛先を、合計した形で、宛先として送ることもできる。
【００４５】
以上、本実施例によれば、実施例１及び２の効果に加え、様々な条件（キーワード）を付すことにより、絞り込んだ選択を行うことができる。
【実施例４】
【００４６】
図９に、実施例４の処理フローを示す。
実施例４では、実施例１と同様に、まずファクシミリ装置において、ユーザはクイックキーに「ＣＳＶファイル指定」キーを予め登録しておく。図５（ａ）に示す表示画面において、ユーザが「ＣＳＶファイル指定」キーを押下すると（図９，ステップＳ１１／ＹＥＳ）、図５（ｂ）に示す画面が表示される。ここで、ユーザは、ＰＣのＩＰアドレスとフォルダ名を指定する入力操作を行う。ユーザによる入力が行われ、該当ファイルがＰＣ２に存在する場合は、図５（ｃ）に示すＣＳＶファイルの一覧を示す画面（図４参照）が表示される（図９，ステップＳ１２）。ここで、ユーザは、希望のファイルを選択し、決定する入力操作を行う。ユーザによる入力が行われると、ＣＳＶファイルの中に含まれる個々の宛先が、ワンタッチダイヤル、短縮ダイヤル、グループダイヤルとして登録される（図９，ステップＳ１３）。その後、ユーザは、原稿のセット、各種モードの設定、スタートキーの操作を行う。そして、ＦＡＸ送信が開始される。なお、ステップＳ１１において、ユーザが「ＣＳＶファイル指定」キーを押下しない場合、つまり、本実施例の宛先指定方法を利用しない場合は、通常の方法による宛先登録を行う（図９，ステップＳ１４）。
【００４７】
このように、本実施例では、ＦＡＸで読み込める形式（フォ−マット）で、宛先情報が登録されたＣＳＶファイルを作成し、作成したＣＳＶファイルを所定のＰＣフォルダに格納し、ＦＡＸによる宛先ダイヤル登録時において、ＰＣフォルダ上のＣＳＶファイルを用いて、ワンタッチダイヤル、短縮ダイヤル、グループダイヤルとして登録できるようにし、登録したワンタッチダイヤル、短縮ダイヤル、グループダイヤルを使ってＦＡＸ送信する。このような宛先登録をすることで、取り扱う宛先数が非常に多い場合の宛先登録及び選択を簡単にすることができる。
【００４８】
以上、本発明の実施例について説明したが、上記実施例に限定されるものではなく、その要旨を逸脱しない範囲において種々の変形が可能である。
【産業上の利用可能性】
【００４９】
本発明は、複数の宛先を記憶して、それらの宛先を所定の操作指示により読み出して発呼する通信装置（例えば、ファクシミリ同報装置やデ−タ通信装置）や、その通信装置を用いる通信システムに適用できる。
【図面の簡単な説明】
【００５０】
【図１】本発明の通信装置の一例であるファクシミリ装置の構成を示すブロック図である。
【図２】本発明の通信システムの構成の一例を示すブロック図である。
【図３】本発明の実施例１に係るＣＳＶファイルのフォーマット例を示す図である。
【図４】本発明の実施例１に係るＣＳＶファイルの一覧の表示例を示す図である。
【図５】本発明の実施例１に係るＣＳＶファイルの選択画面の遷移例を示す図である。
【図６】本発明の実施例１に係る動作を示すフローチャートである。
【図７】本発明の実施例２に係るＣＳＶファイルの選択画面例を示す図である。
【図８】本発明の実施例３に係るＣＳＶファイルの選択画面の遷移例を示す図である。
【図９】本発明の実施例４に係る動作を示すフローチャートである。
【符号の説明】
【００５１】
１    ファクシミリ装置（通信装置の一例）
２    ＰＣ（情報処理装置の一例）
３    制御部
４    表示操作部
５    スキャナ部
６    プロッタ部
７    メモリ部
８    画像処理部
９    通信制御部
１０    ＬＡＮ制御部
１１    Ｇ３／Ｇ４回線
１２    ＬＡＮ回線
【図１】
2007049310.tif 000003
【図２】
2007049310.tif 000004
【図３】
2007049310.tif 000005
【図４】
2007049310.tif 000006
【図５】
2007049310.tif 000007
【図６】
2007049310.tif 000008
【図７】
2007049310.tif 000009
【図８】
2007049310.tif 000010
【図９】
2007049310.tif 000011